(57)【要約】【課題】架空線や架空地線などに巻付け布設する光ケーブルの効率的なボビン巻取方法を提供する。【解決手段】１連続光ケーブル１を、巻枠２ｂを増設した第一ボビン２に巻取り、次いで第一ボビン２に巻取った１連続光ケーブル１の所定量を、１連続光ケーブル１の巻終わり端部を巻始め端部として、第二ボビン３に巻取り、しかるのち第一ボビン２に増設した巻枠２ｂを取り外す。或いは１連続光ケーブルの所定量を第一ボビンと仮巻ボビンに連続して巻取り、次いで前記仮巻ボビンに巻取った光ケーブルを、前記仮巻ボビンの巻終わり端部を巻始め端部として第二ボビンに巻取る。【選択図】        図１
2004166352.tif 000002
【特許請求の範囲】
【請求項１】
１連続光ケーブルを、巻枠を増設した第一ボビンに巻取り、次いで前記第一ボビンに巻取った１連続光ケーブルの所定量を、１連続光ケーブルの巻終わり端部を巻始め端部として、第二ボビンに巻取り、しかるのち前記第一ボビンから前記増設した巻枠を取外すことを特徴とする光ケーブルのボビン巻取方法。
【請求項２】
１連続光ケーブルの所定量を第一ボビンと仮巻ボビンに連続して巻取り、次いで前記仮巻ボビンに巻取った光ケーブルを、前記仮巻ボビンの巻終わり端部を巻始め端部として第二ボビンに巻取ることを特徴とする光ケーブルのボビン巻取方法。
【発明の詳細な説明】
【０００１】
【発明の属する技術分野】
本発明は、架空線や架空地線などに巻付け布設する光ケーブルのボビン巻取方法に関する。
【０００２】
【従来の技術】
光ケーブルを既設の架空線に巻付けて布設する方法は、図５に示すように、光ケーブル２１を巻取ったボビン２２を巻付機２３にセットし、光ケーブル２１の一端を鉄塔２４ａに固定した状態で巻付機２３を架空線２５の回りに回転させながら架空線２５に沿って一方向に走行させてボビン２２に巻取った光ケーブル２１を架空線２５に所定のピッチで巻付けて行われる。
巻付機２３が次の鉄塔２４ｂに到達したときは、巻付機２３を次のスパンに移してさらに巻付け布設作業が続行される。
【０００３】
ところで、前記巻付け布設方法では、架空線の強度や線間距離などの関係からボビンの重量や大きさが制約されるため１回で布設される光ケーブルの長さは限られ、通常、１ボビンには１〜数鉄塔間分の光ケーブルが巻取られていた。
このため、光ケーブルは１〜数鉄塔ごとに接続され、その結果、接続箇所が多くなり信頼性が劣り、また布設作業に多くの時間を要するといった問題があった。
【０００４】
このようなことから、図６（イ）に示すように１連続の光ケーブル１を、その一端を第一ボビン２の巻始めとし、他端を第二ボビン３の巻始めとして２個のボビン２、３に巻取り、第一ボビン２に巻取った光ケーブル１を、図６（ロ）に示すように鉄塔２４ｂの一方（鉄塔２４ａ方向）に延びる架空線２５に巻付け布設し、第二ボビンに巻取った光ケーブル１を鉄塔２４ｂの他方（鉄塔２４ｃ方向）に延びる架空線２５に巻付け布設する工法が提案された（特許文献１）。
この方法は接続箇所が少ないため、図５に示した工法に較べて光ケーブルの信頼性および布設作業性に優れる。
【０００５】
【特許文献１】特開昭６１−２３１５０６号公報
【０００６】
【発明が解決しようとする課題】
しかし、図６（イ）に示した１連続光ケーブルを２個のボビンに巻取る方法については、従来、適当な方法がなく効率の良い巻取方法が強く求められていた。
【０００７】
【課題を解決するための手段】
請求項１記載発明は、１連続光ケーブルを、巻枠を増設した第一ボビンに巻取り、次いで前記第一ボビンに巻取った１連続光ケーブルの所定量を、１連続光ケーブルの巻終わり端部を巻始め端部として、第二ボビンに巻取り、しかるのち前記第一ボビンから前記増設した巻枠を取外すことを特徴とする光ケーブルのボビン巻取方法である。
【０００８】
請求項２記載発明は、１連続光ケーブルの所定量を第一ボビンと仮巻ボビンに連続して巻取り、次いで前記仮巻ボビンに巻取った光ケーブルを、前記仮巻ボビンの巻終わり端部を巻始め端部として第二ボビンに巻取ることを特徴とする光ケーブルのボビン巻取方法である。
【０００９】
【発明の実施の形態】
以下に、本発明を図を参照して具体的に説明する。
なお、本発明を説明するための全図において、同一機能を有するものは同一符号を付け、その繰り返しの説明は省略する。
図１（イ）〜（ハ）は本発明の巻取方法の第一の実施形態を示す工程説明図である。
１連続光ケーブル１を、巻枠２ｂを増設した第一ボビン２に巻取り（図１（イ））、次いで巻取った１連続光ケーブル１の所定量を、１連続光ケーブル１の巻終わり端部１ａを巻始め端部として、第二ボビン３に巻取り（図１（ロ））、しかるのち増設した巻枠２ｂを第一ボビン２から取り外す。
【００１０】
図２（イ）〜（ハ）は本発明の巻取方法の第二の実施形態を示す工程説明図である。
１連続光ケーブル１の所定量を、直列に連結した第一ボビン２と仮巻ボビン４に連続して巻き取り（図２（イ））、次いで仮巻ボビン４に巻取った光ケーブル１を、仮巻ボビン４に巻取った光ケーブルの巻終わり端部１ａを巻始め端部として第二ボビン３に巻取る（図２（ロ））。しかるのち、仮巻ボビン４を第一ボビン２から取り外す（図２（ハ））。
【００１１】
このようにして、図６（イ）に示した１連続光ケーブル１の一端を第一ボビン２の巻始めとし、他端を第二ボビン３の巻始めとする光ケーブルのボビン巻取方法が、簡単な操作で、作業スペースを取らずに効率的に行える。
【００１２】
次に、前記２個の光ケーブル巻付用ボビンの運搬または移動に適した収納ケースについて図を参照して説明する。
この収納ケース１１は、図３に示すように、前後開放の断面コの字型枠体１２を主要部とし、前後開放部分の両側には横棒１３が取り付けられている。枠体１２の縦板１４上部には、収納ケース１１吊上げ用把手１５が取付けられている。
【００１３】
この収納ケース１１の床面上に、１連続光ケーブルが巻取られた２個のボビン２、３が並列に縦置きされており、前記２個のボビン２、３は、その軸穴５に前記横棒１３内面に設けられた凸部１３ａが差し込み、さらに前記床面上にストッパー１７を配して固定されている。図３で１８は横棒１３を縦板１４に取付けるためのボルトである。
【００１４】
図３に示した収納ケースからボビン２を取出すには、横棒１３を外し、ボビン２の軸穴５にシャフト（図示せず）を通し、このシャフトにクレーンのフックを掛け吊り上げて行う。次にボビン３を同様にして取出す。
取り出した２個のボビン２、３は、図６（ロ）に示したように、鉄塔２４ｂの両側に設置した巻付機２３にセットし、ボビン２、３に巻取られた光ケーブル１をそれぞれ架空線２５に巻付け布設する。
【００１５】
図４に示す収納ケース１１では、の床面上に１連続光ケーブル１が巻取られた２個のボビン２、３が直列に縦置きされている。この２個のボビン２、３は縦板１４と内面フラットな横棒１６に接しており、このためボビン２、３が収納ケース１１内を動いて光ケーブル１が傷付くようなことがない。枠体１２の縦板１４にはボビン３の軸穴５が露出するようにＶ字状の切り欠き１４ａが設けられている。これによりボビン３吊り上げ用シャフト（図示せず）を軸穴５に容易に通すことができる。
【００１６】
２個のボビン２、３を跨ぐ光ケーブル部分１ｂは曲率を大きくとり、光ケーブルが折れ曲がらないようにする。
また、この部分は、スパイラル状にプリフォームしたプラスチックテープを巻付けたり、プロテクターチューブを被せたりして保護することが望ましい。
【００１７】
【発明の効果】
以上に述べたように、本発明方法によれば、１連続光ケーブルの一端を第一ボビンの巻始めとし他端を第二ボビンの巻始めとする光ケーブルのボビン巻取りが効率良く行える。従って、接続箇所の少ない光ケーブルの巻付け工法が好適になされ、工業上顕著な効果を奏する。
【図面の簡単な説明】
【図１】（イ）〜（ハ）は本発明の巻取方法の第一の実施形態を示す工程説明図である。
【図２】（イ）〜（ハ）は本発明の巻取方法の第二の実施形態を示す工程説明図である。
【図３】光ケーブル巻付用ボビンの収納構造の例を示す（イ）は正面説明図、（ロ）は側面説明図である。
【図４】光ケーブル巻付用ボビンの収納構造の他の例を示す（イ）は正面説明図、（ロ）は側面説明図である。
【図５】光ケーブルを架空線に巻付ける方法の説明図である。
【図６】（イ）は光ケーブルのボビン巻取方法の説明図、（ロ）は前記ボビンを用いて光ケーブルを架空線に巻付ける方法の説明図である。
【符号の説明】
１  １連続光ケーブル
１ａ  １連続光ケーブルの巻終わり端部
１ｂ  １連続光ケーブルの２個のボビンを跨ぐ部分
２  第一ボビン
２ａ  第一ボビンの巻枠
２ｂ  第一ボビンに増設した巻枠
３  第二ボビン
３ａ  第二ボビンの巻枠
４  仮巻ボビン
５  ボビンの軸穴
１１  １連続光ケーブルを巻取った２個のボビンの収納ケース
１２  断面コの字型枠体
１３  内面に凸部を設けた横棒
１３ａ横棒内面に設けられた凸部
１４  枠体の縦板
１４ａＶ字状切り欠き
１５  収納ケース吊上げ用把手
１６  内面フラットな横棒
１７  ストッパー
２１  光ケーブル
２２  ボビン
２３  巻付機
２４ａ〜ｃ鉄塔
２５  架空線
【図１】
2004166352.tif 000003
【図２】
2004166352.tif 000004
【図３】
2004166352.tif 000005
【図４】
2004166352.tif 000006
【図５】
2004166352.tif 000007
【図６】
2004166352.tif 000008